(57)【特許請求の範囲】
【請求項１】
複数の記録媒体の音声データを記録する音声データ配信装置と、前記複数の記録媒体の音声データを記録、再生する端末とからなる音声データ記録再生システムにおいて、
前記端末は、
記録媒体の音声データの記録時に、前記記録媒体にＩＤ情報が付加されているか否かを判別する記録制御部と、
前記記録媒体の音声データを再生するための再生キーの発行要求を前記音声データ配信装置に送信する再生キー要求部と、
前記再生キーを記録するメモリと、を有し、
前記記録制御部が前記記録媒体に前記ＩＤ情報が付加されていると判別した場合に、前記再生キー要求部が前記再生キーの発行要求を行い、前記音声データ配信装置から送信されてきた前記再生キーを前記記録媒体の音声データとして前記メモリに記録することを特徴とする音声データ記録再生システム。
【請求項２】
前記端末は、
前記記録制御部が前記記録媒体に前記ＩＤ情報が付加されていないと判別した場合に、前記記録媒体の音声データを前記メモリに記録する録音処理部を更に有することを特徴とする請求項１に記載の音声データ記録再生システム。
【請求項３】
前記端末は、
前記メモリに記録されている前記記録媒体の音声データ再生時に、前記メモリに前記記録媒体の音声データとして前記再生キーが記録されているか否かを判別する再生制御部と、
前記再生制御部が前記メモリに前記記録媒体の音声データとして前記再生キーが記録されていると判別した場合に、前記記録媒体の音声データの再生要求を前記音声データ配信装置に送信するデータ配信要求部と、を更に有することを特徴とする請求項１または請求項２に記載の音声データ記録再生システム。
【請求項４】
前記端末は、
前記再生制御部が前記メモリに前記記録媒体の音声データとして前記再生キーが記録されていないと判別した場合に、前記メモリに記録されている前記記録媒体の音声データを再生するデータ再生部を更に有することを特徴とする請求項３に記載の音声データ記録再生システム。
【請求項５】
前記音声データ配信装置は、
前記複数の記録媒体の音声データを記録しているデータサーバと、
前記端末における記録媒体の音声データの記録時に、前記データサーバに記録されている記録媒体の音声データのうち、前記端末に指示された記録媒体の音声データを再生するための再生キーを前記端末に発行し、前記端末における記録媒体の音声データの再生時に、前記端末に指示された前記再生キーに対応する記録媒体の音声データを、前記データサーバから前記端末に配信させるライセンスサーバとを有することを特徴とする請求項１から４のいずれか１項に記載の音声データ記録再生システム。
【請求項６】
前記ライセンスサーバは、
前記端末から前記再生キー発行要求が送信されてきた時に、該再生キー発行要求に含まれるＩＤ情報に対応する再生キーを前記端末に発行する再生キー発行処理部と、
前記再生キー発行処理部にて発行された再生キーと該再生キーに対応する記録媒体のＩＤ情報とを関連付けて記録する記録部と、
前記端末から前記再生要求が送信されてきた時に、前記記録部を参照することにより前記再生要求に含まれる再生キーに対応する記録媒体のＩＤ情報を認識し、該ＩＤ情報を含み、該ＩＤ情報が付加されている記録媒体の音声データのデータ配信要求を前記データサーバに送信する再生処理部とを有することを特徴とする請求項５に記載の音声データ記録再生システム。
【請求項７】
前記データサーバは、
前記複数の記録媒体の音声データを記録しているデータ記録部と、
前記データ記録部に記録されている記録媒体の音声データと該記録媒体に付加されているＩＤ情報とを関連付けて記録するテーブルと、
前記ライセンスサーバから前記データ配信要求が送信されてきた時に、該データ配信要求に含まれるＩＤ情報が付加されている記録媒体の音声データを前記テーブルを参照することで認識し、該記録媒体の音声データを、前記データ記録部から前記端末に配信させる制御を行うデータ配信制御部とを有することを特徴とする請求項６に記載の音声データ記録再生システム。
【請求項８】
前記ライセンスサーバ内の前記再生キー発行処理部は、前記端末から前記再生キー発行要求が送信されてきた時に、該再生キー発行要求に含まれるＩＤ情報が付加されている記録媒体の音声データが、前記データサーバに保有されているか否かを前記データサーバに問い合わせ、
前記データサーバは、前記ライセンスサーバから問い合わされた記録媒体の音声データが前記データ記録部に保有されているか否かを前記テーブルを参照することで判別するデータ保有判別部を有し、
前記ライセンスサーバ内の前記再生キー発行処理部は、当該再生キー発行処理部が問い合わせた音声データが前記データサーバに保有されていると前記データ保有判別部により判別された場合にのみ、前記端末に前記再生キーを発行することを特徴とする請求項７に記載の音声データ記録再生システム。
【請求項９】
前記端末は、当該端末の端末ＩＤを保存している端末ＩＤ保存部を有し、
前記端末内の前記再生キー要求部は、前記記録媒体の音声データの記録時に、該記録媒体に付加されているＩＤ情報と前記端末ＩＤ保存部に保存されている端末ＩＤとを含み、該記録媒体の音声データを再生するための再生キーの再生キー発行要求を前記ライセンスサーバに送信し、
前記ライセンスサーバ内の前記記録部は、前記端末毎に、当該端末に発行した再生キーと、該再生キーに対応する記録媒体のＩＤ情報と、該再生キーの発行回数とを関連付けて記録し、
前記ライセンスサーバ内の前記再生キー発行処理部は、前記端末から前記再生キー発行要求が送信されてきた時に、該再生キー発行要求に含まれる端末ＩＤに基づいて端末を認識し、該端末に対して、前記再生キー発行要求に含まれるＩＤ情報に対応する再生キーを発行した発行回数を、前記記録部を参照することで認識し、該発行回数が所定の許容回数よりも少ない場合にのみ、該端末に前記再生キーを発行することを特徴とする請求項７または請求項８に記載の音声データ記録再生システム。
【請求項１０】
前記ライセンスサーバ内の前記記録部は、前記再生キーと、該再生キーに対応する記録媒体のＩＤ情報と、該再生キーの有効性とを関連付けて記録し、
前記ライセンスサーバ内の前記再生処理部は、前記端末から前記再生要求が送信されてきた時に、該再生要求に含まれる再生キーが有効であるか否かを、前記記録部を参照することで判別し、有効であると判別した場合にのみ、前記再生要求に含まれる再生キーに対応するＩＤ情報を含む前記データ配信要求を前記データサーバに送信することを特徴とする請求項７から９のいずれか１項に記載の音声データ記録再生システム。
【請求項１１】
複数の記録媒体の音声データを記録する音声データ配信装置と、前記複数の記録媒体の音声データを記録、再生する端末と、による音声データ記録再生方法において、
前記端末にて、
記録媒体の音声データの記録時に、前記記録媒体にＩＤ情報が付加されているか否かを判別し、
前記記録媒体に前記ＩＤ情報が付加されていると判別した場合に、前記記録媒体の音声データを再生するための再生キーの発行要求を前記音声データ配信装置に送信し、
前記音声データ配信装置から送信されてきた前記再生キーを前記記録媒体の音声データとしてメモリに記録することを特徴とする音声データ記録再生方法。
【請求項１２】
前記端末にて、
前記記録制御部が前記記録媒体に前記ＩＤ情報が付加されていないと判別した場合に、前記記録媒体の音声データを前記メモリに記録することを特徴とする請求項１１に記載の音声データ記録再生方法。
【請求項１３】
前記端末にて、
前記メモリに記録されている前記記録媒体の音声データ再生時に、前記メモリに前記記録媒体の音声データとして前記再生キーが記録されているか否かを判別し、
前記メモリに前記記録媒体の音声データとして前記再生キーが記録されていると判別した場合に、前記記録媒体の音声データの再生要求を前記音声データ配信装置に送信することを特徴とする請求項１１または請求項１２記載の音声データ記録再生方法。
【請求項１４】
前記端末にて、
前記メモリに前記記録媒体の音声データとして前記再生キーが記録されていないと判別した場合に、前記メモリに記録されている前記記録媒体の音声データを再生することを特徴とする請求項１３に記載の音声データ記録再生方法。
【請求項１５】
前記音声データ配信装置にて、
前記端末における記録媒体の音声データの記録時に、前記音声データ配信装置に記録されている記録媒体の音声データのうち、前記端末に指示された記録媒体の音声データを再生するための再生キーを前記端末に発行し、
前記端末における記録媒体の音声データの再生時に、前記端末に指示された前記再生キーに対応する記録媒体の音声データを前記端末に配信することを特徴とする請求項１１から１４のいずれか１項に音声データ記録再生方法。
【請求項１６】
前記音声データ配信装置にて、
前記端末から前記再生キー発行要求が送信されてきた時に、該再生キー発行要求に含まれるＩＤ情報に対応する再生キーを前記端末に発行するとともに、該発行された再生キーと該再生キーに対応する記録媒体のＩＤ情報とを関連付けて記録部に記録し、
前記端末から前記再生要求が送信されてきた時に、該再生要求に含まれる再生キーに対応するＩＤ情報を前記記録部を参照することで認識し、該ＩＤ情報が付加されている記録媒体の音声データを前記端末に配信することを特徴とする請求項１５に記載の音声データ記録再生方法。
【請求項１７】
前記音声データ配信装置にて、
前記端末から前記再生キー発行要求が送信されてきた時に、該再生キー発行要求に含まれるＩＤ情報が付加されている記録媒体の音声データが当該音声データ配信装置に保有されているか否かを判別し、
該記録媒体の音声データが当該音声データ配信装置に保有されていると判別した場合にのみ、前記端末に前記再生キーを発行することを特徴とする請求項１６に記載の音声データ記録再生方法。
【請求項１８】
前記音声データ配信装置にて、
前記端末毎に、当該端末に発行した再生キーと、該再生キーに対応するＩＤ情報と、該再生キーの発行回数とを関連付けて前記記録部に記録し、
前記端末から前記再生キー発行要求が送信されてきた時に、該端末に対して、前記再生キー発行要求に含まれるＩＤ情報に対応する再生キーを発行した発行回数を前記記録部を参照することで認識し、該発行回数が所定の許容回数よりも少ない場合にのみ、該端末に前記再生キーを発行することを特徴とする請求項１６または請求項１７に記載の音声データ記録再生方法。
【請求項１９】
前記音声データ配信装置にて、
前記再生キーと、該再生キーに対応するＩＤ情報と、該再生キーの有効性とを関連付けて前記記録部に記録し、
前記端末から前記再生要求が送信されてきた時に、該再生要求に含まれる再生キーが有効であるか否かを前記記録部を参照することで判別し、有効であると判別した場合にのみ、前記再生要求に含まれる再生キーに対応するＩＤ情報が付加されている記録媒体の音声データを、前記端末に配信することを特徴とする請求項１６から１８のいずれか１項に記載の音声データ記録再生方法。
【発明の詳細な説明】
【０００１】
【発明の属する技術分野】
本発明は、複数のＣＤ等の記録媒体の音声データを端末に記録、再生させるための音声データ記録再生システム、音声データ配信装置、端末、音声データ記録再生方法に関する。
【０００２】
【従来の技術】
従来より、パーソナルコンピュータ等の端末では、ＣＤ等の記録媒体の音声データをデータ圧縮し、ハードディスク等の記録装置に記録、再生することがある。また、最近のネットワーク技術の進歩に伴い、記録媒体の音声圧縮データをネットワークを介してダウンロードし、記録装置に記録、再生することがある。
【０００３】
上記技術の応用例として、例えば、端末側で、複数の音楽用ＣＤの音声データを記録、再生可能な構成とすれば、本端末をジュークボックスのように使用することも可能である。
【０００４】
【発明が解決しようとする課題】
しかしながら、上述したような従来技術においては、端末側で音声データを記録するものであるため、複数の記録媒体の音声データを記録、再生するには、端末側に大容量の記録装置を設けなければならないという問題点がある。
【０００５】
本発明の目的は、端末側で、大容量の記録装置を設けることなく、複数の記録媒体の音声データを記録、再生することができる音声データ記録再生システム、音声データ配信装置、端末、音声データ記録再生方法を提供することである。
【０００６】
【課題を解決するための手段】
上記目的を達成するために本発明は、複数の記録媒体の音声データを記録する音声データ配信装置と、前記複数の記録媒体の音声データを記録、再生する端末とからなる音声データ記録再生システムにおいて、前記端末は、記録媒体の音声データの記録時に、前記記録媒体にＩＤ情報が付加されているか否かを判別する記録制御部と、前記記録媒体の音声データを再生するための再生キーの発行要求を前記音声データ配信装置に送信する再生キー要求部と、前記再生キーを記録するメモリと、を有し、前記記録制御部が前記記録媒体に前記ＩＤ情報が付加されていると判別した場合に、前記再生キー要求部が前記再生キーの発行要求を行い、前記音声データ配信装置から送信されてきた前記再生キーを前記記録媒体の音声データとして前記メモリに記録することを特徴とする。
【０００７】
また、前記端末は、前記記録制御部が前記記録媒体に前記ＩＤ情報が付加されていないと判別した場合に、前記記録媒体の音声データを前記メモリに記録する録音処理部を更に有することを特徴とする。
【０００８】
また、前記端末は、前記メモリに記録されている前記記録媒体の音声データ再生時に、前記メモリに前記記録媒体の音声データとして前記再生キーが記録されているか否かを判別する再生制御部と、前記再生制御部が前記メモリに前記記録媒体の音声データとして前記再生キーが記録されていると判別した場合に、前記記録媒体の音声データの再生要求を前記音声データ配信装置に送信するデータ配信要求部と、を更に有することを特徴とする。
【０００９】
また、前記端末は、前記再生制御部が前記メモリに前記記録媒体の音声データとして前記再生キーが記録されていないと判別した場合に、前記メモリに記録されている前記記録媒体の音声データを再生するデータ再生部を更に有することを特徴とする。
【００１０】
また、前記音声データ配信装置は、前記複数の記録媒体の音声データを記録しているデータサーバと、前記端末における記録媒体の音声データの記録時に、前記データサーバに記録されている記録媒体の音声データのうち、前記端末に指示された記録媒体の音声データを再生するための再生キーを前記端末に発行し、前記端末における記録媒体の音声データの再生時に、前記端末に指示された前記再生キーに対応する記録媒体の音声データを、前記データサーバから前記端末に配信させるライセンスサーバとを有することを特徴とする。
【００１１】
また、前記ライセンスサーバは、前記端末から前記再生キー発行要求が送信されてきた時に、該再生キー発行要求に含まれるＩＤ情報に対応する再生キーを前記端末に発行する再生キー発行処理部と、前記再生キー発行処理部にて発行された再生キーと該再生キーに対応する記録媒体のＩＤ情報とを関連付けて記録する記録部と、前記端末から前記再生要求が送信されてきた時に、前記記録部を参照することにより前記再生要求に含まれる再生キーに対応する記録媒体のＩＤ情報を認識し、該ＩＤ情報を含み、該ＩＤ情報が付加されている記録媒体の音声データのデータ配信要求を前記データサーバに送信する再生処理部とを有することを特徴とする。
【００１２】
また、前記データサーバは、前記複数の記録媒体の音声データを記録しているデータ記録部と、前記データ記録部に記録されている記録媒体の音声データと該記録媒体に付加されているＩＤ情報とを関連付けて記録するテーブルと、前記ライセンスサーバから前記データ配信要求が送信されてきた時に、該データ配信要求に含まれるＩＤ情報が付加されている記録媒体の音声データを前記テーブルを参照することで認識し、該記録媒体の音声データを、前記データ記録部から前記端末に配信させる制御を行うデータ配信制御部とを有することを特徴とする。
【００１３】
また、前記ライセンスサーバ内の前記再生キー発行処理部は、前記端末から前記再生キー発行要求が送信されてきた時に、該再生キー発行要求に含まれるＩＤ情報が付加されている記録媒体の音声データが、前記データサーバに保有されているか否かを前記データサーバに問い合わせ、前記データサーバは、前記ライセンスサーバから問い合わされた記録媒体の音声データが前記データ記録部に保有されているか否かを前記テーブルを参照することで判別するデータ保有判別部を有し、前記ライセンスサーバ内の前記再生キー発行処理部は、当該再生キー発行処理部が問い合わせた音声データが前記データサーバに保有されていると前記データ保有判別部により判別された場合にのみ、前記端末に前記再生キーを発行することを特徴とする。
【００１４】
また、前記端末は、当該端末の端末ＩＤを保存している端末ＩＤ保存部を有し、前記端末内の前記再生キー要求部は、前記記録媒体の音声データの記録時に、該記録媒体に付加されているＩＤ情報と前記端末ＩＤ保存部に保存されている端末ＩＤとを含み、該記録媒体の音声データを再生するための再生キーの再生キー発行要求を前記ライセンスサーバに送信し、前記ライセンスサーバ内の前記記録部は、前記端末毎に、当該端末に発行した再生キーと、該再生キーに対応する記録媒体のＩＤ情報と、該再生キーの発行回数とを関連付けて記録し、前記ライセンスサーバ内の前記再生キー発行処理部は、前記端末から前記再生キー発行要求が送信されてきた時に、該再生キー発行要求に含まれる端末ＩＤに基づいて端末を認識し、該端末に対して、前記再生キー発行要求に含まれるＩＤ情報に対応する再生キーを発行した発行回数を、前記記録部を参照することで認識し、該発行回数が所定の許容回数よりも少ない場合にのみ、該端末に前記再生キーを発行することを特徴とする。
【００１５】
また、前記ライセンスサーバ内の前記記録部は、前記再生キーと、該再生キーに対応する記録媒体のＩＤ情報と、該再生キーの有効性とを関連付けて記録し、
前記ライセンスサーバ内の前記再生処理部は、前記端末から前記再生要求が送信されてきた時に、該再生要求に含まれる再生キーが有効であるか否かを、前記記録部を参照することで判別し、有効であると判別した場合にのみ、前記再生要求に含まれる再生キーに対応するＩＤ情報を含む前記データ配信要求を前記データサーバに送信することを特徴とする。
【００１６】
また、複数の記録媒体の音声データを記録する音声データ配信装置と、前記複数の記録媒体の音声データを記録、再生する端末と、による音声データ記録再生方法において、前記端末にて、記録媒体の音声データの記録時に、前記記録媒体にＩＤ情報が付加されているか否かを判別し、前記記録媒体に前記ＩＤ情報が付加されていると判別した場合に、前記記録媒体の音声データを再生するための再生キーの発行要求を前記音声データ配信装置に送信し、前記音声データ配信装置から送信されてきた前記再生キーを前記記録媒体の音声データとしてメモリに記録することを特徴とする。
【００１７】
また、前記端末にて、前記記録制御部が前記記録媒体に前記ＩＤ情報が付加されていないと判別した場合に、前記記録媒体の音声データを前記メモリに記録することを特徴とする。
【００１８】
また、前記端末にて、前記メモリに記録されている前記記録媒体の音声データ再生時に、前記メモリに前記記録媒体の音声データとして前記再生キーが記録されているか否かを判別し、前記メモリに前記記録媒体の音声データとして前記再生キーが記録されていると判別した場合に、前記記録媒体の音声データの再生要求を前記音声データ配信装置に送信することを特徴とする。
【００１９】
また、前記端末にて、前記メモリに前記記録媒体の音声データとして前記再生キーが記録されていないと判別した場合に、前記メモリに記録されている前記記録媒体の音声データを再生することを特徴とする。
【００２０】
また、前記音声データ配信装置にて、前記端末における記録媒体の音声データの記録時に、前記音声データ配信装置に記録されている記録媒体の音声データのうち、前記端末に指示された記録媒体の音声データを再生するための再生キーを前記端末に発行し、前記端末における記録媒体の音声データの再生時に、前記端末に指示された前記再生キーに対応する記録媒体の音声データを前記端末に配信することを特徴とする。
【００２１】
また、前記音声データ配信装置にて、前記端末から前記再生キー発行要求が送信されてきた時に、該再生キー発行要求に含まれるＩＤ情報に対応する再生キーを前記端末に発行するとともに、該発行された再生キーと該再生キーに対応する記録媒体のＩＤ情報とを関連付けて記録部に記録し、前記端末から前記再生要求が送信されてきた時に、該再生要求に含まれる再生キーに対応するＩＤ情報を前記記録部を参照することで認識し、該ＩＤ情報が付加されている記録媒体の音声データを前記端末に配信することを特徴とする。
【００２２】
また、前記音声データ配信装置にて、前記端末から前記再生キー発行要求が送信されてきた時に、該再生キー発行要求に含まれるＩＤ情報が付加されている記録媒体の音声データが当該音声データ配信装置に保有されているか否かを判別し、該記録媒体の音声データが当該音声データ配信装置に保有されていると判別した場合にのみ、前記端末に前記再生キーを発行することを特徴とする。
【００２３】
また、前記音声データ配信装置にて、前記端末毎に、当該端末に発行した再生キーと、該再生キーに対応するＩＤ情報と、該再生キーの発行回数とを関連付けて前記記録部に記録し、前記端末から前記再生キー発行要求が送信されてきた時に、該端末に対して、前記再生キー発行要求に含まれるＩＤ情報に対応する再生キーを発行した発行回数を前記記録部を参照することで認識し、該発行回数が所定の許容回数よりも少ない場合にのみ、該端末に前記再生キーを発行することを特徴とする。
【００２４】
また、前記音声データ配信装置にて、前記再生キーと、該再生キーに対応するＩＤ情報と、該再生キーの有効性とを関連付けて前記記録部に記録し、前記端末から前記再生要求が送信されてきた時に、該再生要求に含まれる再生キーが有効であるか否かを前記記録部を参照することで判別し、有効であると判別した場合にのみ、前記再生要求に含まれる再生キーに対応するＩＤ情報が付加されている記録媒体の音声データを、前記端末に配信することを特徴とする。
【００５３】
（作用）
上記のように構成された本発明においては、端末側では、記録媒体の音声データの記録時に、ライセンスサーバで発行された再生キーを記録媒体の音声データとして記録し、記録媒体の音声データの再生時に、ライセンスサーバに再生キー送信することで該再生キーに対応する記録媒体の音声データが配信されることになるため、メモリ等の記録装置を大容量にすることなく、複数の記録媒体の音声データを記録、再生することが可能である。
【００５４】
【発明の実施の形態】
以下に、本発明の実施の形態について図面を参照して説明する。
【００５５】
（第１の実施の形態）
図１は、本発明の音声データ記録再生システムの第１の実施の形態を示す図である。
【００５６】
図１に示すように本実施形態は、端末１０と、ライセンスサーバ２１及びデータサーバ２２を具備する配信センター２０とから構成される。なお、図１においては、端末１０が１つだけ図示されているが、端末１０は複数であっても良い。また、端末１０及び配信センター２０は、ハードディスクやメモリ等の記録媒体にコンピュータプログラムが格納され、該コンピュータプログラムの指示により特定の処理を行う。
【００５７】
端末１０は、ＣＤ再生部１１１と、再生キー要求部１１２と、メモリ１１３と、データ配信要求部１１４と、データ再生部１１５とから構成される。
【００５８】
なお、端末１０は、ＣＤの音声データの記録時には、ＣＤ再生部１１１、再生キー要求部１１２及びメモリ１１３のみで動作を行い、ＣＤの音声データの再生時には、データ配信要求部１１４、データ再生部１１５及びメモリ１１３のみで動作を行う。
【００５９】
ＣＤ再生部１１１は、ＣＤがセットされ、そのＣＤを再生する。
【００６０】
再生キー要求部１１２は、ＣＤ再生部１１１にセットされたＣＤの音声データを記録する際に、ＣＤに付加されているＣＤ−ＩＤを抽出し、このＣＤ−ＩＤを含む再生キーの発行要求を配信センター２０に送信する。なお、ＣＤ−ＩＤとは、ＣＤを識別するためのＩＤ情報（音楽用ＣＤの場合には、アーティスト名や曲名、あるいは、アルバム名、アーティスト名、曲名などが特定できる情報等）としてＣＤに付加されているものである。
【００６１】
メモリ１１３は、再生キー要求部１１２が送信した再生キーの発行要求に応じて配信センター２０にて発行される再生キーを、音声データとして記録する。
【００６２】
データ配信要求部１１４は、メモリ１１３に再生キーとして記録されたＣＤの音声データを再生する際に、メモリ１１３に記録された再生キーを読み出し、この再生キーを含む再生要求を配信センター２０に送信する。
【００６３】
データ再生部１１５は、データ配信要求部１１４が送信した再生要求に応じて配信センター２０から配信される音声データの圧縮データを、伸長し、再生する。
【００６４】
ライセンスサーバ２１は、再生キー発行処理部２１１と、記録部２１２と、再生処理部２１３とから構成される。
【００６５】
再生キー発行処理部２１１は、端末１０からの再生キーの発行要求を受け付けると、この発行要求に含まれるＣＤ−ＩＤが付加されているＣＤの音声データが保有されているか否かをデータサーバ２２に問い合わせる。そして、データサーバ２２に該当する音声データが保有されていることを確認すると、端末１０に再生キーを発行する。
【００６６】
記録部２１２は、再生キー発行処理部２１１が端末１０に発行した再生キーと、この再生キーに対応するＣＤ−ＩＤとを、例えば、図２に示すように関連付けて記録する。
【００６７】
再生処理部２１３は、端末１０からの再生要求を受け付けると、この再生要求に含まれる再生キーに対応するＣＤ−ＩＤを記録部２１２を参照することで取得し、このＣＤ−ＩＤを含む音声データのデータ配信要求をデータサーバ２２に送信する。
【００６８】
データサーバ２２は、データ配信制御部２２１と、ＣＤ−ＩＤテーブル２２２と、ＣＤデータ記録部２２３と、データ保有判別部２２４とから構成される。
【００６９】
ＣＤデータ記録部２２３は、複数のＣＤの音声データを圧縮データとして記録している。
【００７０】
ＣＤ−ＩＤテーブル２２２は、ＣＤデータ記録部２２３に記録されているＣＤの音声データと、この音声データに対応するＣＤ−ＩＤとを関連付けて記録する。
【００７１】
データ配信制御部２２１は、ライセンスサーバ２１からのデータ配信要求を受け付けると、このデータ配信要求に含まれるＣＤ−ＩＤが付加されているＣＤの音声データをテーブル２２２を参照することで認識し、その音声データの圧縮データをＣＤデータ記録部２２３から端末１０に配信させる制御を行う。
【００７２】
データ保有判別部２２４は、ライセンスサーバ２１からの音声データ有無の問い合わせを受け付けると、その音声データがＣＤデータ記録部２２３に記録されているか否かをテーブル２２２を参照することで確認し、ライセンスサーバ２１に回答する。
【００７３】
以下に、上記のように構成された音声データ記録再生システムの動作についてフローチャートを用いて説明する。
【００７４】
最初に、音声データの記録時の動作について説明する。
【００７５】
図３は、図１に示した音声データ記録再生システムにおける音声データの記録時の動作を説明するためのフローチャートである。
【００７６】
まず、端末１０内では、再生キー要求部１１２が、ＣＤ再生部１１１にセットされたＣＤからＣＤ−ＩＤを抽出し、このＣＤ−ＩＤを含む再生キーの発行要求をライセンスサーバ２１に送信する（ステップ３０１）。
【００７７】
次に、ライセンスサーバ２１内では、再生キー発行処理部２１１が、端末１０からの再生キーの発行要求を受け付けると、この発行要求に含まれるＣＤ−ＩＤが付加されているＣＤの音声データが記録されているか否かを、データサーバ２２に問い合わせる（ステップ３０２）。
【００７８】
次に、データサーバ２２内では、データ保有判別部２２４が、ＣＤ−ＩＤテーブル２２２を参照することで、該当する音声データがＣＤデータ記録部２２３に保有されているか否かを確認し（ステップ３０３）、その結果をライセンスサーバ２１に通知する（ステップ３０４，３０５）。
【００７９】
ライセンスサーバ２１内では、ステップ３０４でデータサーバ２２から音声データが保有されていると通知された場合は、再生キー発行処理部２１１が、端末１０に再生キーを発行し、記録部２１２が、端末１０に発行した再生キーと端末１０からのＣＤ−ＩＤとを関連付けて記録する（ステップ３０６）。また、ステップ３０５でデータサーバ２２から音声データが保有されていないと通知された場合は、再生キー発行処理部２１１が、端末１０に再生キーを発行できないことを通知し（ステップ３０７）、処理が終了する。
【００８０】
その後、端末１０内では、ステップ３０６でライセンスサーバ２１にて再生キーが発行されると、その再生キーがメモリ１１３に記録され（ステップ３０８）、処理が終了する。
【００８１】
次に、音声データの再生時の動作について説明する。
【００８２】
図４は、図１に示した音声データ記録再生システムにおける音声データの再生時の動作を説明するためのフローチャートである。
【００８３】
まず、端末１０内では、データ配信要求部１１４が、メモリ１１３から再生キーを読み出し、この再生キーを含む再生要求をライセンスサーバ２１に送信する（ステップ４０１）。
【００８４】
次に、ライセンスサーバ２１内では、再生処理部２１３が、端末１０からの再生要求を受け付けると、この再生要求に含まれる再生キーに対応するＣＤ−ＩＤを記録部２１２を参照することで取得し、このＣＤ−ＩＤを含むデータ配信要求をデータサーバ２２に送信する（ステップ４０２）。図２の例では、端末１０からの再生キー「ＸＸＸＸ」を受け付けると、この再生キー「ＸＸＸＸ」に対応するＣＤ−ＩＤ「ＹＹＹＹ」をデータサーバ２２に送信することになる。
【００８５】
次に、データサーバ２２内では、データ配信制御部２２１が、ライセンスサーバ２１からのデータ配信要求を受け付けると、このデータ配信要求に含まれるＣＤ−ＩＤが付加されているＣＤの音声データをＣＤ−ＩＤテーブル２２２を参照することで認識し、その音声データの圧縮データをＣＤデータ記録部２２３から端末１０に配信させる（ステップ４０３）。
【００８６】
その後、端末１０内では、データ再生部１１５が、データサーバ２２から送出された音声データの圧縮データをリアルタイムで再生し（ステップ４０４）、処理が終了する。
【００８７】
上述したように本実施形態においては、端末１０側ではＣＤの音声データを再生キーとして記録することになるため、端末１０側のメモリ１１３を大容量にすることなく、複数のＣＤの音声データを記録することができる。
【００８８】
また、端末１０のメモリ１１３をフロッピーディスクやメモリカード等の他の端末への移設可能な記録装置とすれば、端末１０で再生キーとして記録した音声データを、別の端末で再生することができる。
【００８９】
また、端末１０は、記録機能（ＣＤ再生部１１１、再生キー要求部１１２及びメモリ１１３から構成される部分）と、再生機能（データ配信要求部１１４、データ再生部１１５及びメモリ１１３から構成される部分）との２つの機能を備えているが、これらの２つの機能のいずれか一方を備える端末を本システムに設けた構成としても良い。
【００９０】
（第２の実施の形態）
図５は、本発明の音声データ記録再生システムの第２の実施の形態を示す図である。
【００９１】
第１の実施形態においては、ライセンスサーバ２１は、端末１０からの再生キーの発行要求を受け付けると、データサーバ２２との間で該当する音声データ有無の問い合わせ／回答のやり取りを行い、該当する音声データがデータサーバ２２に保有されている時にのみ、端末１０に再生キーを発行していた。
【００９２】
しかしながら、データサーバ２２にＣＤ−ＩＤが付加された全てのＣＤの音声データが保有されていると仮定すると、ライセンスサーバ２１とデータサーバ２２との間で該当する音声データ有無の問い合わせ／回答のやり取りを行う必要がない。
【００９３】
そこで、本実施形態においては、データサーバ２２内にＣＤ−ＩＤが付加された全てのＣＤの音声データが保有されていると仮定し、ライセンスサーバ２１とデータサーバ２２との間で該当する音声データ有無の問い合わせ／回答のやり取りを行わない構成となっている。
【００９４】
図４に示すように本実施形態は、第１の実施形態と比較して、データサーバ２２内のデータ保有判別部２２４が削除されている点と、ライセンスサーバ２１内の再生キー発行処理部２１１が次のような処理を行う点とが異なる。
【００９５】
再生キー発行処理部２１１は、端末１０からの再生キーの発行要求を受け付けると、この発行要求に含まれるＣＤ−ＩＤが付加されているＣＤの音声データの有無をデータサーバ２２に問い合わせることなく、端末１０に再生キーを発行する。
【００９６】
以下に、上記のように構成された音声データ記録再生システムの動作についてフローチャートを用いて説明する。なお、音声データの再生時の動作については第１の実施形態と同様であるため、ここでは音声データの記録時の動作についてのみ説明する。
【００９７】
図６は、図５に示した音声データ記録再生システムにおける音声データの記録時の動作を説明するためのフローチャートである。
【００９８】
まず、端末１０内では、再生キー要求部１１２が、ＣＤ再生部１１１にセットされたＣＤからＣＤ−ＩＤを抽出し、このＣＤ−ＩＤを含む再生キーの発行要求をライセンスサーバ２１に送信する（ステップ６０１）。
【００９９】
次に、ライセンスサーバ２１内では、再生キー発行処理部２１１が、端末１０からの再生キーの発行要求を受け付けると、データサーバ２２への問い合わせを行うことなく、発行要求に含まれるＣＤ−ＩＤに対応する再生キーを端末１０に発行し、記録部２１２が、端末１０に発行した再生キーと端末１０からのＣＤ−ＩＤとを関連付けて記録する（ステップ６０２）。
【０１００】
その後、端末１０内では、ライセンスサーバ２１にて発行された再生キーがメモリ１１３に記録され（ステップ６０３）、処理が終了する。
【０１０１】
上述したように本実施形態においては、ライセンスサーバ２１が、端末１０からの再生キーの発行要求を受け付けると、データサーバ２２に該当する音声データの有無を問い合わせることなく、端末１０に再生キーを発行するため、再生キーの発行処理時間を短縮化することができる。
【０１０２】
（第３の実施の形態）
図７は、本発明の音声データ記録再生システムの第３の実施の形態を示す図である。
【０１０３】
第１及び第２の実施形態においては、ライセンスサーバ２１は、端末１０から再生キーの発行要求を受け付ける度に、再生キーを発行していたため、再生キーが不正にコピーされる可能性が高いものとなっていた。
【０１０４】
そこで、本実施形態においては、ライセンスサーバ２１が、端末１０への再生キーの発行回数を制限することで、再生キーが不正にコピーされる可能性を低減する構成となっている。
【０１０５】
図７に示すように本実施形態は、第１の実施形態と比較して、端末１０内に端末ＩＤ保存部１１６を設けた点と、端末１０内の再生キー要求部１１２、ライセンスサーバ２１内の再生キー発行処理部２１１及び記録部２１２が次のような処理を行う点とが異なる。
【０１０６】
端末ＩＤ保存部１１６は、端末１０の端末ＩＤを保存する。この端末ＩＤは、製造番号などの個々の端末毎に固有の情報であり、これをもとに個々の端末が特定できるものである。
【０１０７】
再生キー要求部１１２は、ライセンスサーバ２１に再生キーの発行を要求する際に、ＣＤ再生部１１１にセットされたＣＤからＣＤ−ＩＤを抽出するとともに、端末ＩＤ保存部１１６から端末１０の端末ＩＤを読み出し、このＣＤ−ＩＤ及び端末ＩＤを含む再生キーの発行要求をライセンスサーバ２１に送信する。
【０１０８】
再生キー発行処理部２１１は、端末１０からの再生キーの発行要求を受け付けると、この発行要求に含まれるＣＤ−ＩＤ及び端末ＩＤの組合わせで再生キーを発行した発行回数を記録部２１２を参照することで確認するとともに、この発行要求に含まれるＣＤ−ＩＤが付加されているＣＤの音声データがデータサーバ２２に保有されているか否かを確認する。そして、再生キーの発行回数が所定の許容回数よりも少ないこと、及び、データサーバ２２に該当する音声データが保有されていることを確認すると、再生キーを端末１０に発行する。
【０１０９】
記録部２１２は、再生キー発行処理部２１１が発行した再生キーと、この再生キーの発行先の端末ＩＤと、この再生キーに対応するＣＤ−ＩＤと、この再生キーの発行回数とを、例えば、図８に示すように関連付けて記録している。
【０１１０】
以下に、上記のように構成された音声データ記録再生システムの動作についてフローチャートを用いて説明する。なお、音声データの再生時の動作については第１の実施形態と同様であるため、ここでは音声データの記録時の動作についてのみ説明する。
【０１１１】
図９は、図７に示した音声データ記録再生システムにおける音声データの記録時の動作を説明するためのフローチャートである。
【０１１２】
まず、端末１０内では、再生キー要求部１１２が、ＣＤ再生部１１１にセットされたＣＤからＣＤ−ＩＤを抽出するとともに、端末ＩＤ保存部１１６から端末１０の端末ＩＤを読み出し、このＣＤ−ＩＤ及び端末ＩＤを含む再生キーの発行要求をライセンスサーバ２１に送信する（ステップ９０１）。
【０１１３】
次に、ライセンスサーバ２１内では、再生キー発行処理部２１１が、端末１０からの再生キーの発行要求を受け付けると、この発行要求に含まれる端末ＩＤに基づいて端末１０を認識し、端末１０に対して、発行要求に含まれるＣＤ−ＩＤ及び端末ＩＤの組合わせで再生キーを発行した発行回数を記録部２１２を参照することで確認する（ステップ９０２）。
【０１１４】
次に、再生キー発行処理部２１１は、再生キーの発行回数が許容回数よりも少ないか否かを判断し（ステップ９０３）、少ないと判断した場合は、再生キーの発行要求に含まれるＣＤ−ＩＤが付加されているＣＤの音声データが保有されているか否かを、データサーバ２２に問い合わせる（ステップ９０４）。例えば、再生キーの許容回数を一律で２回に設定したと仮定すると、図８の例では、ＣＤ−ＩＤ「ＣＣＣＣ」と端末ＩＤ「ＺＺＺＺ」との組合わせで再生キー発行要求がなされた場合、該当する再生キー「ＢＢＢＢ」の既発行回数は１回であるため、対応する音声データの有無をデータサーバ２２に問い合わせることになる。
【０１１５】
次に、データサーバ２２内では、データ保有判別部２２４が、ＣＤ−ＩＤテーブル２２２を参照することで、該当する音声データがＣＤデータ記録部２２３に保有されているか否かを確認し（ステップ９０５）、その結果をライセンスサーバ２１に通知する（ステップ９０６，９０７）。
【０１１６】
ライセンスサーバ２１内では、ステップ９０６でデータサーバ２２から該当する音声データが保有されていると通知された場合は、再生キー発行処理部２１１が、端末１０に再生キーを発行し、記録部２１２が、端末１０に発行した再生キーと、端末１０の端末ＩＤと、端末１０からのＣＤ−ＩＤと、再生キーの発行回数とを関連付けて記録する（ステップ９０８）。また、ステップ９０７でデータサーバ２２から該当する音声データが保有されていないと通知された場合は、再生キー発行処理部２１１が、端末１０に再生キーを発行できないことを通知し（ステップ９０９）、処理が終了する。
【０１１７】
その後、端末１０内では、ステップ９０８でライセンスサーバ２１にて再生キーが発行されると、その再生キーがメモリ１１３に記録され（ステップ９１０）、処理が終了する。
【０１１８】
なお、ステップ９０３で再生キーの発行回数が許容回数に既に達していると判断した場合は、ステップ９０９における処理に進み、再生キー発行処理部２１１は、端末１０に再生キーを発行できないことを通知し、処理が終了する。
【０１１９】
上述したように本実施形態においては、ライセンスサーバ２１が、端末１０からの再生キーの発行要求を受け付けると、端末１０への再生キーの発行回数が許容回数よりも少ないか否かを判断し、少ないと判断した場合にのみ、端末１０に再生キーを発行するため、端末１０への再生キーの発行回数が制限されることで、再生キーが不正に獲得され利用される可能性を低減することができる。
【０１２０】
（第４の実施の形態）
図１０は、本発明の音声データ記録再生システムの第４の実施の形態を示す図である。
【０１２１】
第３の実施形態においては、端末１０への再生キーの発行回数を制限することで、再生キーが不正に獲得され利用される可能性を低減する構成について説明したが、本実施形態においては、実際に再生キーが不正に獲得され利用されたと判明した場合に、この再生キーを無効とし、再生キーの不正使用を防止する構成となっている。
【０１２２】
図１０に示すように本実施形態は、第１の実施形態と比較して、ライセンスサーバ２１内の再生キー発行処理部２１１、記録部２１２及び再生処理部２１３が次のような処理を行う点が異なる。
【０１２３】
記録部２１２は、再生キー発行処理部２１１が発行した再生キーと、この再生キーに対応するＣＤ−ＩＤと、この再生キーの有効性とを、例えば、図１１に示すように関連付けて記録している。
【０１２４】
再生処理部２１３は、端末１０からの再生要求を受け付けると、この再生要求に含まれる再生キーの有効性を記録部２１２を参照することで判断し、有効性があると判断した場合にのみ、記録部２１２を参照して該当するＣＤ−ＩＤを取得し、データサーバ２２に音声データの配信要求を行う。
【０１２５】
以下に、上記のように構成された音声データ記録再生システムの動作についてフローチャートを用いて説明する。なお、音声データの記録時の動作については第１の実施形態と同様であるため、ここでは音声データの再生時の動作についてのみ説明する。
【０１２６】
図１２は、図１０に示した音声データ記録再生システムにおける音声データの再生時の動作を説明するためのフローチャートである。
【０１２７】
まず、端末１０内では、データ配信要求部１１４が、メモリ１１３に記録されている再生キーを読み出し、この再生キーを含む再生要求をライセンスサーバ２１に送信する（ステップ１２０１）。
【０１２８】
次に、ライセンスサーバ２１内では、再生処理部２１３が、端末１０からの再生要求を受け付けると、この再生要求に含まれる再生キーが有効であるか否かを記録部２１２を参照することで判断する（ステップ１２０２）。
【０１２９】
ステップ１２０２で再生キーが有効であると判断すると、再生処理部２１３は、続いて、端末１０からの再生要求に含まれる再生キーに対応するＣＤ−ＩＤを記録部２１２を参照することで取得し、このＣＤ−ＩＤを含むデータ配信要求をデータサーバ２２に送信する（ステップ１２０３）。
【０１３０】
次に、データサーバ２２内では、データ配信制御部２２１が、ライセンスサーバ２１からのデータ配信要求を受け付けると、このデータ配信要求に含まれるＣＤ−ＩＤが付加されているＣＤの音声データをＣＤ−ＩＤテーブル２２２を参照することで認識し、その音声データの圧縮データをＣＤデータ記録部２２３から端末１０に配信させる（ステップ１２０４）。
【０１３１】
その後、端末１０内では、データ再生部１１５が、データサーバ２２から送出された音声データの圧縮データをリアルタイムで再生し（ステップ１２０５）、処理が終了する。
【０１３２】
一方、ステップ１２０２で再生処理部２１３が再生キーが無効であると判断すると、端末１０は、音声データを再生することなく、処理が終了する（ステップ１２０６）。
【０１３３】
上述したように本実施形態においては、ライセンスサーバ２１が、端末１０からの再生要求を受け付けると、再生キーの有効性を判断し、有効性があると判断した場合にのみ、データサーバ２２に音声データの配信要求を行うため、再生キーの不正使用を防止することができる。
【０１３４】
（第５の実施の形態）
図１３は、本発明の音声データ記録再生システムの第５の実施の形態を示す図である。
【０１３５】
第１〜第４の実施形態においては、ＣＤ−ＩＤが付加されているＣＤの音声データを記録する構成について説明したが、本実施形態においては、ＣＤ−ＩＤが付加されていないＣＤについても対応可能な構成となっている。
【０１３６】
図１３に示すように本実施形態は、第１の実施形態と比較して、端末１０内に、記録制御部１１７、デジタル録音処理部１１８及び再生制御部１１９とを設けた点が異なる。
【０１３７】
デジタル録音処理部１１８は、ＣＤ再生部１１１にセットされたＣＤの音声データをデジタル録音し、メモリ１１３に記録させる。
【０１３８】
記録制御部１１７は、ＣＤ再生部１１１にセットされたＣＤにＣＤ−ＩＤが付加されているか否かを判別し、ＣＤ−ＩＤが付加されていれば、再生キー要求部１１２からライセンスサーバ２１に再生キーの発行要求を送信させ、ＣＤ−ＩＤが付加されていなければ、デジタル録音処理部１１８にＣＤの音声データをデジタル録音させる制御を行う。
【０１３９】
再生制御部１１９は、メモリ１１３に記録されているＣＤの音声データが再生キーとして記録されているか否かを判別し、再生キーとして記録されていれば、データ配信要求部１１４からライセンスサーバ２１に再生要求を送信させ、再生キーとして記録されていなければ、データ再生部１１５にメモリ１１３に記録されているＣＤの音声データを再生させる制御を行う。
【０１４０】
以下に、上記のように構成された音声データ記録再生システムの動作についてフローチャートを用いて説明する。
【０１４１】
最初に、音声データの記録時の動作について説明する。
【０１４２】
図１４は、図１３に示した音声データ記録再生システムにおける音声データの記録時の動作を説明するためのフローチャートである。
【０１４３】
まず、端末１０内では、記録制御部１１７が、ＣＤ再生部１１１にセットされたＣＤにＣＤ−ＩＤが付加されているか否かを判断し（ステップ１４０１）、ＣＤ−ＩＤが付加されていなければ、デジタル録音処理部１１８にＣＤの音声データをデジタル録音させ、その音声データをメモリ１１３に記録させる（ステップ１４１０）。
【０１４４】
一方、ステップ１４０１でＣＤ−ＩＤが付加されていれば、再生キー要求部１１２は、ＣＤからＣＤ−ＩＤを抽出し、このＣＤ−ＩＤを含む再生キーの発行要求をライセンスサーバ２１に送信する（ステップ１４０２）。
【０１４５】
次に、ライセンスサーバ２１内では、再生キー発行処理部２１１が、端末１０からの再生キーの発行要求を受け付けると、この発行要求に含まれるＣＤ−ＩＤが付加されているＣＤの音声データが保有されているか否かを、データサーバ２２に問い合わせる（ステップ１４０３）。
【０１４６】
次に、データサーバ２２内では、データ保有判別部２２４が、ＣＤ−ＩＤテーブル２２２を参照することで該当する音声データがＣＤデータ記録部２２３に保有されているか否かを確認し（ステップ１４０４）、その結果をライセンスサーバ２１に通知する（ステップ１４０５，１４０６）。
【０１４７】
ライセンスサーバ２１内では、ステップ１４０５でデータサーバ２２から音声データが保有されていると通知された場合は、再生キー発行処理部２１１が、端末１０に再生キーを発行し、記録部２１２が、端末１０に発行した再生キーと端末１０からのＣＤ−ＩＤとを関連付けて記録する（ステップ１４０７）。また、ステップ１４０６でデータサーバ２２から音声データが保有されていないと通知された場合は、再生キー発行処理部２１１が、端末１０に再生キーを発行できないことを通知する（ステップ１４０８）。
【０１４８】
その後、端末１０内では、ステップ１４０７でライセンスサーバ２１にて再生キーが発行されると、その再生キーがメモリ１１３に記録され（ステップ１４０９）、処理が終了する。また、ステップ１４０８で再生キーを発行できないことを通知されると、記録制御部１１７が、デジタル録音処理部１１８にＣＤの音声データをデジタル録音させ、その音声データをメモリ１１３に記録させる（ステップ１４１０）。
【０１４９】
次に、音声データの再生時の動作について説明する。
【０１５０】
図１５は、図１３に示した音声データ記録再生システムにおける音声データの再生時の動作を説明するためのフローチャートである。
【０１５１】
まず、端末１０内では、再生制御部１１９が、メモリ１１３に記録されているＣＤの音声データが再生キーとして記録されているか否かを判断し（ステップ１５０１）、再生キーとして記録されていなければ、メモリ１１３に記録されている音声データの圧縮データを、データ再生部１１５に再生させる（ステップ１５０６）。
【０１５２】
一方、ステップ１５０１で音声データが再生キーとしてメモリ１１３に記録されている場合、データ配信要求部１１４は、メモリ１１３に記録されている再生キーを読み出し、この再生キーを含む再生要求をライセンスサーバ２１に送信する（ステップ１５０２）。
【０１５３】
次に、ライセンスサーバ２１内では、再生処理部２１３が、端末１０からの再生要求を受け付けると、この再生要求に含まれる再生キーに対応するＣＤ−ＩＤを記録部２１２を参照することで取得し、このＣＤ−ＩＤを含むデータ送出要求をデータサーバ２２に送信する（ステップ１５０３）。
【０１５４】
次に、データサーバ２２内では、データ配信制御部２２１が、ライセンスサーバ２１からのデータ送出要求を受け付けると、このデータ送出要求に含まれるＣＤ−ＩＤが付加されているＣＤの音声データをＣＤ−ＩＤテーブル２２２を参照することで認識し、その音声データの圧縮データをＣＤデータ記録部２２３から端末１０に配信させる（ステップ１５０４）。
【０１５５】
その後、端末１０内では、データ再生部１１５が、データサーバ２２から配信された音声データの圧縮データをリアルタイムで再生し（ステップ１５０５）、処理が終了する。
【０１５６】
上述したように本実施形態においては、音声データの記録時には、端末１０内で、ＣＤにＣＤ−ＩＤが付加されているか否かを判断し、ＣＤ−ＩＤが付加されていれば、ライセンスサーバ２１に再生キーの発行要求を行い、ＣＤ−ＩＤが付加されていなければ、ＣＤの音声データをデジタル録音する。
【０１５７】
また、音声データの再生時には、その音声データが再生キーとしてメモリ１１３に記録されているか否かを判断し、再生キーとして記録されていれば、ライセンスサーバ２１に再生要求を行い、再生キーとして記録されていなければ、メモリ１１３に記録されている音声データをそのまま再生する。
【０１５８】
このため、ＣＤにＣＤ−ＩＤが付加されているか否かに関わらず、ＣＤの音声データを記録、再生することができる。
【０１５９】
なお、本発明においては、ＩＤ情報としてＣＤ−ＩＤが付加されているＣＤの音声データを記録、再生する構成について説明したが、ＩＤ情報が付加されている他の記録媒体にも適用可能である。
【０１６０】
また、本発明においては、上述した第２〜第５の実施形態を適宜２つ以上組み合わせた構成とすることが可能である。
【０１６１】
【発明の効果】
以上説明したように本発明においては、複数の記録媒体の音声データを記録しているデータサーバと、端末における記録媒体の音声データの記録時に、データサーバに記録されている記録媒体の音声データのうち、端末に指示された記録媒体の音声データを再生するための再生キーを端末に発行し、端末における記録媒体の音声データの再生時に、端末に指示された再生キーに対応する記録媒体の音声データを、データサーバから端末に配信させるライセンスサーバとからなる音声データ配信装置を設けている。
【０１６２】
これにより、端末側では、記録媒体の音声データの記録時に、ライセンスサーバで発行された再生キーを記録媒体の音声データとして記録し、記録媒体の音声データの再生時に、ライセンスサーバに再生キー送信することで該再生キーに対応する記録媒体の音声データが配信されるため、メモリ等の記録装置を大容量にすることなく、複数の記録媒体の音声データを記録、再生することができる。
【０１６３】
また、ライセンスサーバが、端末毎に、当該端末に発行した再生キーの発行回数を記録部に記録し、端末から再生キーの発行要求が送信されてきた時に、当該端末への再生キーの発行回数を記録部を参照することで認識し、発行回数が所定の許容回数よりも少ないと判断した場合にのみ、端末に再生キーを発行する構成とした場合には、端末への再生キーの発行回数が制限されるため、再生キーが不正にコピーされる可能性を低減することができる。
【０１６４】
また、ライセンスサーバが、再生キーの有効性を記録部に記録し、端末から再生要求が送信されてきた時に、その再生要求に含まれる再生キーの有効性を記録部を参照することで判断し、有効性があると判断した場合にのみ、データサーバから端末に音声データを配信させる構成した場合には、不正使用された再生キーを無効なものとして記録部に記録することにより、再生キーの不正使用を防止することができる。
【０１６５】
また、端末内で、記録媒体の音声データの記録時に、記録媒体にＩＤ情報が付加されているか否かを判断し、ＩＤ情報が付加されていれば、ライセンスサーバに再生キーの発行要求を送信し、ＩＤ情報が付加されていなければ、記録媒体の音声データをデジタル録音し、記録媒体の音声データの再生時に、その音声データが再生キーとしてメモリに記録されているか否かを判断し、再生キーとして記録されていれば、ライセンスサーバに再生要求を送信し、再生キーとして記録されていなければ、メモリに記録されている音声データをそのまま再生する構成とした場合には、記録媒体にＩＤ情報が付加されているか否かに関わらず、記録媒体の音声データを記録、再生することができる。
【０１６６】
また、端末内のメモリを移設可能とした場合は、当該端末で再生キーとして記録した記録媒体の音声データを、別の端末で再生することができる。
【図面の簡単な説明】
【図１】本発明の音声データ記録再生システムの第１の実施の形態を示す図である。
【図２】図１に示したライセンスサーバ内の記録部に記録されている内容の一例を示す図である。
【図３】図１に示した音声データ記録再生システムにおける音声データ記録時の動作を説明するためのフローチャートである。
【図４】図１に示した音声データ記録再生システムにおける音声データ再生時の動作を説明するためのフローチャートである。
【図５】本発明の音声データ記録再生システムの第２の実施の形態を示す図である。
【図６】図５に示した音声データ記録再生システムにおける音声データ記録時の動作を説明するためのフローチャートである。
【図７】本発明の音声データ記録再生システムの第３の実施の形態を示す図である。
【図８】図７に示したライセンスサーバ内の記録部に記録されている内容の一例を示す図である。
【図９】図７に示した音声データ記録再生システムにおける音声データ記録時の動作を説明するためのフローチャートである。
【図１０】本発明の音声データ記録再生システムの第４の実施の形態を示す図である。
【図１１】図１０に示したライセンスサーバ内の記録部に記録されている内容の一例を示す図である。
【図１２】図１０に示した音声データ記録再生システムにおける音声データ再生時の動作を説明するためのフローチャートである。
【図１３】本発明の音声データ記録再生システムの第５の実施の形態を示す図である。
【図１４】図１３に示した音声データ記録再生システムにおける音声データ記録時の動作を説明するためのフローチャートである。
【図１５】図１３に示した音声データ記録再生システムにおける音声データ再生時の動作を説明するためのフローチャートである。
【符号の説明】
１０    端末
２０    配信センター
２１    ライセンスサーバ
２２    データサーバ
１１１    ＣＤ再生部
１１２    再生キー要求部
１１３    メモリ
１１４    データ配信要求部
１１５    データ再生部
１１６    端末ＩＤ保存部
１１７    記録制御部
１１８    デジタル録音処理部
１１９    再生制御部
２１１    再生キー発行処理部
２１２    記録部
２１３    再生処理部
２２１    データ配信制御部
２２２    ＣＤ−ＩＤテーブル
２２３    ＣＤデータ記録部
２２４    データ保有判別部
【図１】
0003944691.tif 000002
【図２】
0003944691.tif 000003
【図３】
0003944691.tif 000004
【図４】
0003944691.tif 000005
【図５】
0003944691.tif 000006
【図６】
0003944691.tif 000007
【図７】
0003944691.tif 000008
【図８】
0003944691.tif 000009
【図９】
0003944691.tif 000010
【図１０】
0003944691.tif 000011
【図１１】
0003944691.tif 000012
【図１２】
0003944691.tif 000013
【図１３】
0003944691.tif 000014
【図１４】
0003944691.tif 000015
【図１５】
0003944691.tif 000016